(57)【要約】【課題】条件の合ったオーディション情報を容易に取得できるようにし、オーディションの適否をその場で分るようにする。【解決手段】端末６から取り込んだ利用者のオーディション情報が、オーディションの課題について予め設定した合格基準に達したか否かを判別し、その判別結果を端末６に出力させる。また、合格基準に達している場合にのみ、その利用者のオーディション情報を管理サーバ２にて閲覧できるように記憶管理する。これにより、オーディションの適否がその場ですぐに判明する。また、合格基準に達しているオーディション情報だけが管理サーバ２に記憶管理されるので、条件の合ったオーディション情報を容易に取得できる。【選択図】      図１
2004178003.tif 000002
【特許請求の範囲】
【請求項１】
複数の端末が電気通信手段を介してセンター装置の管理サーバに接続され、オーディションの課題を提示する提示手段と、このオーディションの課題に対応した利用者からの音声または画像を含むオーディション情報を入力する入力手段とを前記端末に備えたオーディション情報登録閲覧システムにおいて、
前記入力手段から取り込んだ利用者のオーディション情報が、前記オーディションの課題について予め設定した合格基準に達したか否かを判別し、その判別結果を前記端末に出力させるとともに、前記合格基準に達している場合にのみ、その利用者のオーディション情報を前記管理サーバに記憶管理する判別手段を備えたことを特徴とするオーディション情報登録閲覧システム。
【請求項２】
閲覧端末から前記電気通信手段を介して送出された認証情報を照合し、正当な認証情報を受けた前記閲覧端末にのみ、前記オーディション情報を閲覧可能にする照合閲覧手段をさらに備えたことを特徴とする請求項１記載のオーディション情報登録閲覧システム。
【請求項３】
被写体に任意の背景を合成して視覚的効果を加え、プリントシールとして出力する画像合成プリント装置に、前記端末を組み込んだことを特徴とする請求項１または２記載のオーディション情報登録閲覧システム。
【請求項４】
前記オーディションの課題を更新する課題更新手段を前記センター装置に備えたことを特徴とする請求項１〜３のいずれか一つに記載のオーディション情報登録閲覧システム。
【発明の詳細な説明】
【０００１】
【発明の属する技術分野】
本発明は、インターネット通信網などの電気通信手段を利用したオーディション情報登録閲覧システムに関する。
【０００２】
【従来の技術】
これまでのオーディションを行って人材情報を登録し、登録された人材情報を閲覧できるようにしたシステムは、例えば特許文献１に開示されるように、通信ネットワークを介して各地でオーディションが行えるように、オーディション機能を備えた端末すなわちオーディション端末と、オーディション端末に接続される管理サーバすなわちサーバと、プロダクションに設置されるコンピュータなどの端末装置が、例えばインターネットなどの通信ネットワークにそれぞれ接続され、オーディションの課題（例えば、インタビューに対する回答など）が端末装置の提示手段からオーディション端末に配信されるようになっており、オーディション端末の利用者がオーディションの応募者として、オーディションの課題に対応したしぐさをオーディション端末に入力すると、そのしぐさがネットワークを介してサーバに送られ、このサーバに蓄積された応募データをネットワークを介して端末装置が閲覧することで、プロダクションの人間がオーディション内容を把握できるようになっている。そして、この特許文献１では、オーディションを主催するプロダクションやオーディション会場に応募者が直接出向くことなく、オーディション端末からオーディションを受けることができ、しかもオーディションの選考結果がオーディション端末にだけでなく、応募者の通信端末へも送れるように考慮されている。
【０００３】
また、別の特許文献２には、双方向に通信可能とされた求人者端末および求職者端末を、インターネット上のウェブサイトを介してシステムサーバに接続するオーディションシステムにおいて、オーディションを受けようとする求職者が、求職者端末からウェブサイトへ接続して自身の身長，体重，性別，年齢，画像データや音声データといったプロフィールをシステムサーバに登録することによって、求人者であるプロダクションなどは求人者端末からウェブサイトへ接続して、希望する身長，体重，性別，年齢といった個人データや、役柄およびギャラの諸条件を入力すれば、その条件に見合った求職者をシステムサーバから検索できるオーディションシステムが開示されている。
【０００４】
【特許文献１】
特開２００１−３０６７４４号公報（明細書段落番号［０００３］〜［００１５］など）
【特許文献２】
特開２００２−１９７３０５号公報（明細書段落番号［０００３］〜［０００６］など）
【０００５】
【発明が解決しようとする課題】
しかし、上記各特許文献に開示されるシステムでは、オーディション応募者の適否に拘らず、応募の有った全てのオーディション情報を応募データとして管理サーバに取り込まなければならず、膨大な応募データによる管理サーバ側の管理が大変であった。しかも、こうして管理サーバに集められた応募データの大部分は、合格基準に達しない不適性のものばかりであり、全ての応募データの中から条件の合ったオーディション情報を取得するには、プロダクション側にとっても大きな負担となっていた。
【０００６】
さらに、オーディションを受けようとする利用者側にとっても、オーディションの適否がその場ではすぐに分からず、特に複数の人数で端末を利用する場合であっても、仲間同士でオーディション結果に基づく競争心や射幸心を煽ることができないため、端末側で利用率がなかなか向上しないという懸念もあった。
【０００７】
そこで本発明は、管理サーバの負担を少なくして、条件の合ったオーディション情報を容易に取得できるようにするとともに、オーディションの適否をその場で分るようにして、端末側での利用率を高めるようにしたオーディション情報登録閲覧システムを提供することを目的とする。
【課題を解決するための手段】
請求項１の発明は、前記目的を達成するために、複数の端末が電気通信手段を介してセンター装置の管理サーバに接続され、オーディションの課題を提示する提示手段と、このオーディションの課題に対応した利用者からの音声または画像を含むオーディション情報を入力する入力手段とを前記端末に備えたオーディション情報登録閲覧システムにおいて、前記入力手段から取り込んだ利用者のオーディション情報が、前記オーディションの課題について予め設定した合格基準に達したか否かを判別し、その判別結果を前記端末に出力させるとともに、前記合格基準に達している場合にのみ、その利用者のオーディション情報を前記管理サーバに記憶管理する判別手段を備えている。
【０００８】
このようにすると、オーディションを受けようとする利用者が、オーディションの課題に対応した音声や画像を含むオーディション情報を端末から入力すると、判別手段はそのオーディション情報が合格基準に達しているか否かを直ちに判別して、その判別結果を端末から利用者に伝達する。したがって、オーディションの適否がその場ですぐに判明するとともに、とりわけ複数の人数で端末を利用する場合に、合格基準に達した者は射幸心が得られる一方で、合格基準に達しない者は、再度オーディションを受けたいとする競争心を得ることができ、端末側での利用率が向上する。
【０００９】
さらに判別手段は、端末から入力された全てのオーディション情報の中で、合格基準に達している場合にのみ、その利用者のオーディション情報を管理サーバに記憶管理させるので、管理サーバに登録されるオーディション情報は従来のものよりも飛躍的に少なくなる、よって、管理サーバの負担が少なくなるとともに、所望のオーディション情報を探す側にとっても、条件の合ったオーディション情報を、管理サーバから容易に取得できるようになる。
【００１０】
請求項２の発明は、閲覧端末から前記電気通信手段を介して送出された認証情報を照合し、正当な認証情報を受けた前記閲覧端末にのみ、前記オーディション情報を閲覧可能にする照合閲覧手段をさらに備えている。
【００１１】
この場合、管理サーバに登録されたオーディション情報は誰でも閲覧できるという訳ではなく、送られてきた認証情報が正しいものと判断した閲覧端末にのみ閲覧できるようになっている。したがって、オーディション情報に含まれる個人的な情報が、不特定多数の者に不正利用されることを防止できる。
【００１２】
請求項３の発明は、被写体に任意の背景を合成して視覚的効果を加え、プリントシールとして出力する画像合成プリント装置に、前記端末を組み込んだことを特徴とする。
【００１３】
この場合は、遊戯施設などに設置され、全国的に普及している画像合成プリント装置に着目して、この画像合成プリント装置に前記端末としての機能を組み込む。こうすると、画像合成プリント装置における被写体の撮影手段を端末の入力手段として利用でき、合成画像を出力する表示手段を端末の提示手段として利用できるので、既存の画像合成プリント装置をオーディション受付用の端末として、その利用価値を高めることができる。しかも、画像合成プリント装置であれば、誰もが気軽にオーディションが受けることができるので、隠れた逸材を容易に捜し出すことができる。
【００１４】
請求項４の発明は、前記オーディションの課題を更新する課題更新手段を前記センター装置に備えて構成される。
【００１５】
この場合、オーディション課題をセンター装置から自動的に適時更新することで、様々なジャンルのオーディション希望者を募ることができる。
【００１６】
【発明の実施形態】
以下、本発明のオーディション情報登録閲覧システムの実施形態について、添付図面を参照しながら説明する。図１はシステムの全体構成を示すもので、１は後述するオーディション合格登録者閲覧手段４２と、オーディション合格者のオーディション情報を蓄積記憶するデータベース４４とを備えた管理サーバ２を有し、本システムを運営および管理する例えばシステム管理会社内に設置されたセンター装置である。また６は、例えばゲームセンターなどの遊戯施設４に設置され、オーディションを受ける第一のユーザが利用する一乃至複数の端末であり、この端末６は後述するオーディション合否判定手段２１を備えるファイルサーバ５に接続される。そして、遊戯施設４毎に設けられるファイルサーバ５ひいてはこのファイルサーバ５に従属する各端末６は、電気通信手段３を経由して、センター装置１の管理サーバ２に双方向通信が可能なように接続される。
【００１７】
本システムの管理運営会社側において、管理サーバ２は、前記ファイルサーバ５およびセンター装置１のオーディション合格者データベース４４に記憶登録されたオーディション合格者のオーディション情報を電子通信手段３であるインターネットのウェブサイト上に公開する機能を備えている。一方、本システムの第二のユーザが所属するプロクション７のプロダクション端末８には、インターネット３に接続してオーディション合格登録者の情報を閲覧できる閲覧手段が、例えばブラウザソフトとして備えられている。好ましくは、管理サーバ２は後述する認証データ照合処理手段４１，合格者閲覧手段４２および認証データベース４５（図５参照）とを備えており、プロダクション７が本システムの利用料を管理運営会社に予め支払って、固有の識別子（ＩＤ）とパスワードからなる認証情報を得ることにより、プロダクション端末８から入力した認証情報が、認証データベース４５に記憶される登録認証情報と一致した場合にのみ、有償でオーディション合格登録者のオーディション情報を閲覧できるようになっている。さらに管理サーバ２は後述する課金処理手段７０を備えており、この課金処理手段７０によりオーディション合格登録者の連絡先の情報を入手して、有望な人材を直接スカウトすることができるようになっている。
【００１８】
端末６の外観を示す図２において、ここでの端末６は、遊戯施設４などに設置され、全国的に広く普及しているいわゆる画像合成プリント装置として組み込まれており、オーディションの課題に対する合格か不合格かの適否を、ファイルサーバ５のオーディション合否判定手段２１が判定した結果、合格であると判定した場合には、オーディションを受けた際の音声や映像によるしぐさや、第一のユーザの名前，年齢，性別，連絡先といった個人情報を含むオーディション情報を取り込んで、これをファイルサーバ５に登録させる機能を、既存の画像合成プリント装置に付加している。
【００１９】
より具体的には、９は画像合成プリントを行なう際や、オーディションを実施する際に、顧客である第一のユーザーを誘導するために様々な説明や指示を表示するモニタである。また１０は、写真プリントシールや、オーディション課題のセリフや歌詞カードなどが排出される出力口である。１１は、写真プリントシールを作成する際やオーディション課題を実施する際に、モニタ９に表示される指示に従った各操作を行うためのキーボードやボタンなどの操作手段である。１２は、写真プリントシールを作成する際やオーディションを受ける際に、本装置の利用料金を支払うための料金投入口である。１３はオーディションを受ける第一のユーザが使用する仮設ステージである。１４は本装置の内部と外部を仕切るための遮光および遮音カーテンである。また特に図示しないが、本装置には、後述する画像入力手段１５に相当するビデオカメラや、音声（音楽）出力手段２３に相当するスピーカや、音声入力手段１６であるマイクなども備えられている。
【００２０】
なお、上記装置における写真プリントシールの出力機能は、実用新案登録第３０１４７３３号公報に示される映像プリント供給装置が知られており、ここでの詳細な動作説明は省略する。
【００２１】
次に、本システムを構成する端末６とファイルサーバ５および管理サーバ２の内部構成について説明する。
【００２２】
図３は、端末６の内部構成を示すものである。まず端末制御手段６Ａの入力側から順に説明すると、１１はキーボードやボタンなどで構成される操作入力手段、１５は写真プリントシールを作成する際に被写体となる第一のユーザを撮影するとともに、オーディションを受ける際の動作を画像データとして取込むビデオカメラなどの画像入力手段である。また１６は、オーディションを受ける者の音声を入力する音声入力手段である。さらに２０は、料金投入口１２に投入された利用料を検出して、端末制御手段６Ａの写真プリントシール機能やオーディション機能を起動させるための入金検出手段である。
【００２３】
端末装置６Ａの出力側には、前記モニタ９に相当する画像出力手段２２と、第一のユーザへ音声（カラオケ楽曲などの音楽を含む）による課題を出力するスピーカなどの音声出力手段２３と、写真シールを出力したり、あるいは課題である台詞カードや歌詞カードを出力するプリンタなどの印刷出力手段２７をそれぞれ備えている。
【００２４】
さらに１９は、写真プリントシールの背景やオーディションの課題をファイルサーバ５から受信したり、オーディションを受けたときの画像データや音声データや、合格者のオーディション情報を送信するなどして、ファイルサーバ５との相互通信を行なうためのデータ送受信手段である。
【００２５】
前記端末制御手段６Ａは、内蔵する制御プログラムにより、写真プリントシール機能やオーディション機能を実行処理する各種手段を備えている。すなわち端末制御手段６Ａは、写真プリントシール機能若しくはオーディション機能のいずれか一方を実施する端末６としての機能選択や、写真プリントシール機能選択時における背景の選択や、写真プリントシールに重ね合せるコメントや、オーディション機能選択時におけるオーディションの課題テーマ選択などの、操作入力手段１１からの入力指示に基づく選択処理を実行する選択データ処理手段１８と、オーディション機能の選択時において、ファイルサーバ５の課題データ処理手段３１から送られてくるオーディションの課題を取り込んで、これを提示手段である画像出力手段２２と音声出力手段２３に再生させるオーディション課題再生手段２１と、写真プリントシール機能の選択時において、画像入力手段１５で取り込んだ被写体に背景を合成させるなどの様々な画像効果を加える画像合成手段２４と、写真プリントシール機能の選択時において、写真プリントシールに写し出される自分の肌をきれいに見せたり、写真プリントシールにコメントを記入したりするなどの画像補正を行なう画像補正手段２５と、写真プリントシール機能の選択時において、被写体の背後からライトなどを照射して写真プリントシールに視覚的効果を与える視覚効果処理手段２６とを備えている。
【００２６】
さらに端末制御手段６Ａには、写真プリントシール機能選択時やオーディション機能選択時において、ファイルサーバ５との相互通信を行なう際に様々なデータを一時的にまたは長期的に記録保持するデータ記憶手段と、写真プリントシール機能選択時において、被写体である人物の背景に合成する様々な背景画像を記憶保持する背景（フレーム）データベース２９が接続される。
【００２７】
図４は、ファイルサーバ５の構成を示すもので、３０は端末６との相互通信のみならず、管理サーバ２と電気通信手段３であるインターネットを利用して相互通信を行うためのデータ送受信手段である。また、ファイルサーバ５としての機能動作を処理実行するファイルサーバ制御手段５Ａは、オーディション機能選択時において、端末６の選択データ処理手段１８で選択された課題テーマに対応する課題の内容を、ファイルサーバ５のオーディション課題データベース３４から呼出して、これを課題テーマを受取った端末６に配信する課題データ処理手段３１と、同じくオーディション機能選択時において、端末６から送り出されたオーディション課題に対する画像データと音声データによるしぐさが、オーディション合格基準データベース３５に格納されている画像や音声の合格基準に達しているかを判別し、合格か不合格かの判別結果を端末に回答出力させるとともに、合格基準に達している場合にのみ、その利用者のしぐさや個人情報を含むオーディション情報を、ファイルサーバ５のオーディション合格者データベース３６および管理サーバ２のオーディション合格者データベース４４に記憶管理させる判別手段たるオーディション合否判定手段３２とを備えている。
【００２８】
その他、ファイルサーバ制御手段５Ａには、オーディションを受ける第一のユーザの画像データや音声データによるしぐさを一時的に記録するデータ記憶手段３３と、後述するオーディションの各課題内容を記憶するオーディション課題データベース３４と、後述するオーディションの各課題に対応した合格基準を格納するオーディション合格基準データベース３５と、オーディション合格者のしぐさや操作入力手段１１から入力される個人情報などのオーディション情報を記憶するオーディション合格者データベースが各々接続される。
【００２９】
特に本実施例では、オーディション課題のジャンル毎に、例えば音楽データベース４８，セリフデータベース４９，ナレーションデータベース５０，振りデータベース５１，ポーズデータベース５２（図７参照）からなるオーディション課題データベース３４が構成される。また、合格基準についても図１０に示すように、オーディション課題のジャンル毎に、歌手合格基準１０７、俳優合格基準１０８、アナウンサー・声優合格基準１０９、モデル合格基準１１０、ダンサー合格基準１１１の各データベースからなるオーディション合格基準データベース３５が構成される。但しこれはあくまでも一例であり、各端末６に提供するオーディション課題に応じて適宜変更してよい。
【００３０】
図５は、センター装置１に備えられた管理サーバ２の構成を示すもので、３７は電気通信手段３であるインターネットを利用して、ファイルサーバ５やプロダクション端末８との相互通信を行うためのデータ送受信手段である。また管理サーバ５としての機能動作を処理実行する管理サーバ制御手段２Ａは、ファイルサーバ５の課題データベース３４に格納される各オーディション課題データと、オーディション合格基準データベース３５に格納されている各オーディション合格基準データを適時に自動で更新するための課題・合格基準更新手段３８と、端末６のフレームデータベース２９に格納されている背景（フレーム）を適時に自動更新する背景（フレーム）更新手段３９と、プロダクション端末８から入力した認証情報が正当であるか否かを、認証データベース４５に記憶される登録認証情報と認証情報が一致するか否かによって判定する認証データ照合処理手段４１と、認証データ照合処理手段４１により正当な認証情報であることを確認した場合にのみ、オーディション合格者のオーディション情報をプロダクション端末８にウェブ上で公開し、プロダクション７の関係者に閲覧提供する合格者閲覧手段４２とを備えている。
【００３１】
また、管理サーバ制御手段２Ａの入力側には、ＣＤ−ＲＯＭなどの媒体に記憶されたオーディションの課題内容やオーディションの合格基準を読み込むためのドライブ装置や、キーボードやマウスなどの操作部からなる入力手段４０が接続されるとともに、管理サーバ制御手段２Ａの出力側には、データベース更新時やシステムメンテナンスなどの保守の際に、必要な情報を管理サーバ２側で表示する液晶表示器などの出力手段４６が接続される。
【００３２】
その他に管理サーバ制御手段２Ａには、オーディションの課題内容やオーディションの合格基準を更新する場合や、写真プリントシールの背景（フレーム）データを更新する場合などに、それらのデータを一時的に記憶保持するためのデータ記憶手段４３と、端末６でオーディションを受けて合格した第一のユーザのオーディション情報を蓄積記憶するオーディション合格者データベース４４と、第二のユーザであるプロダクション７に付与した認証情報を登録認証情報として記憶登録する認証データベース４５がそれぞれ接続される。
【００３３】
次に、図６〜８において本システムの特にオーディション機能選択時における機能的な構成をさらに詳しく説明する。これらの各図において、端末６の操作入力手段１１を利用してオーディションを受けたい課題のテーマを指定すると、そのテーマに一致する課題内容が、ファイルサーバ５のデータ送受信手段３０から送信される。端末６はその課題内容をデータ送受信手段１９で受信し、オーディション課題再生手段２１を介して画像出力手段２２や音声出力手段２３から課題内容を画像や音声で出力する。
【００３４】
その際、各端末６で様々なオーディションの課題内容を速やかに再生できるように、ファイルサーバ５のオーディション課題データベース３４には種々なジャンルの課題内容が個別のデータベース毎に格納される。具体的には、カラオケ用の音楽を格納した音楽データベース４８や、映画やドラマやアニメのワンシーンのセリフを納めたセリフデータベース４９や、ある仮想ニュースのナレーションを納めたナレーションデータベース５０や、ダンスなどの演目を納めた振り（動作）データベース５１や、ファッションショーなどのモデルポーズ例を納めたポーズデータベース５２などにより、オーディション課題データベース３４が構築される。またファイルサーバ５には、前述のように各オーディション課題に対する合格基準を記憶格納するオーディション合格基準データベース３５と、課題に対する合格基準を満たしたオーディション合格者のオーディション情報を、志望ジャンル別に区別して登録するオーディション合格者データベース３６をそれぞれ備えている。
【００３５】
また、画像出力手段２２や音声出力手段２３から出力されるオーディションの課題内容を受けて、第一のユーザーのしぐさを画像入力手段１５や音声入力手段１６から入力すると、このオーディション受験者のしぐさを記録した画像データや音声データが、データ送受信手段１９により例えばＬＡＮ接続されたファイルサーバ５のデータ送受信手段３０へ送られ、オーディション合否判定手段３２の画像データ記録処理手段５５と音声データ記録処理手段５６にそれぞれ取り込まれるようになっている。
【００３６】
本実施例におけるオーディション合否判定手段３２は、ソフトウェア上の機能を実現するための各種手段を備えている。これらの構成を具体的に説明すると、５５は画像記録処理手段で、これは端末６の画像入力手段１５から取り込まれたオーディション受験者のしぐさに関する画像データを、判定のためにデータ記憶手段３３に一時的に記憶保持させるためのものである。また音声データ記録処理手段５６は、画像データと同様に、端末６の音声入力手段１６から入力される音声データを、判定のためにデータ記憶手段３３へ一時的に記憶保持させるためのものである。
【００３７】
５７は、データ記憶手段３３に一時的に記憶されるしぐさの音声データを、これに対応する課題のオーディション合格基準データベース３６に格納された合格基準と比較し、音声データの明瞭度および時間的なズレが、それぞれ合格基準を中心とした一定の許容範囲内であるか否かを識別する音声識別処理手段である。また５８は、データ記憶手段３３に一時的に記憶されるしぐさの音声データを、これに対応する課題のオーディション合格基準データベース３６に格納された合格基準と比較し、音声データの音調の乱れが、合格基準を中心とした一定の許容範囲内であるか否かを識別する音調識別処理手段である。また５９は、データ記憶手段３３に一時的に記憶されるしぐさの音声データを、これに対応する課題のオーディション合格基準データベース３６に格納された合格基準と比較し、音声データにおける音程の狂いが、合格基準を中心とした一定の許容範囲内であるか否かを識別する音程識別処理手段である。さらに６０は、データ記憶手段３３に一時的に記憶されるしぐさの画像データを、これに対応する課題のオーディション合格基準データベース３６に格納された合格基準と比較し、画像データにおける動作の乱れやズレが、合格基準を中心とした一定の許容範囲内であるか否かを識別する画像判定処理手段である。
【００３８】
６１は、音声識別処理手段５７，音調識別処理手段５８，音程識別処理手段５９，画像判定処理手段６０の識別結果を基に、与えられたオーディションの課題に対し総合的に合格基準に達しているか否かを判断するオーディション合格基準比較処理手段である。このオーディション合格基準比較処理手段６１は、例えば、音声識別処理手段５７，音調識別処理手段５８，音程識別処理手段５９，画像判定処理手段６０の全ての識別結果が一定の許容範囲内であれば、合格基準に達していると判定するもので、判定結果は合否いずれの場合であっても、データ送受信手段３０を介して端末６に送信されるようになっている。
【００３９】
なお、それぞれ処理手段５７〜６０における各許容範囲は、与えられた課題に応じてそれぞれ適宜設定すればよい。またどの処理手段５７〜６０を利用するのかについても、与えられた課題に応じてその一部若しくは全てを選択するようにすればよい。
【００４０】
６２は、オーディション合格基準比較処理手段６１が総合的に合格基準に達していると判断したときに、オーディションに合格した第一のユーザが端末６の入力手段１１から入力される名前，年齢，性別，志望ジャンル，連絡先などの個人情報を取り込んで、前記データ記憶手段３３に一時的に記憶されるしぐさの音声データや画像データとともに、ファイルサーバ５のオーディション合格者データベース３６へ志望ジャンル別に区別して、合格者のオーディション情報として登録させるとともに、データ送受信手段３０により電気通信手段３を介して管理サーバ２のオーディション合格者ベース４４へも、この合格者のオーディション情報を登録させるオーディション合格者登録処理手段である。これにより、プロダクション端末８が閲覧できるのは、全てのファイルサーバ５から集められたオーディション合格者ベース４４に蓄積記録されるオーディション合格者のオーディション情報だけに限られる。
【００４１】
図８において、本システムの第二のユーザが関わる管理サーバ２内のオーディション合格登録者閲覧手段４２と、その周辺の機能的な構成について、さらに詳しく説明する。同図において、管理サーバ２のオーディション合格者データベース４４に格納される合格者のオーディション情報は、各ファイルサーバ５のデータ送受信手段３０から電気通信手段３を介して送信されたものである。したがって、ここには全てのファイルサーバ５から送られてきた合格者のオーディション情報が、一元的に管理される。また、４１は認証データ照合処理手段であって、これはプロダクション７が所有する端末８のキーボードなどの入力手段７１から入力された認証番号とパスワードからなる認証情報を、認証データベース４５内にある登録認証情報と照合して、認証番号とパスワードとの関係が登録認証情報と一致していれば、正しく認証が得られたものとして、後述する合格者閲覧手段４２によるオーディション情報の閲覧を可能にするものである。
【００４２】
合格者閲覧手段４２は、ソフトウェア上の機能を実現するための各種手段を備えている。これらの構成を具体的に説明すると、６６は、第二のユーザであるプロダクション端末８に、オーディション合格者に関する検索画面を表示させるための表示データを出力する合格者検索画面表示処理手段である。また６７は、プロダクション端末８の入力手段７１（図９参照）からの指示により、どの志望ジャンルに関連する合格者を閲覧したいのかを選択処理する志望ジャンル選択手段である。
【００４３】
６８は、プロダクション端末８の入力手段７１からの指示により特定されたジャンルに該当するオーディション情報を、オーディション合格者データベース４４から抽出するオーディション情報抽出処理手段である。また６９は、オーディション情報抽出処理手段６８で抽出されたオーディション情報を、オーディション合格者の一覧表として表示させるための表示データを出力するオーディション合格者表示処理手段である。さらに７０は、オーディション合格者の一覧表に基づき、プロダクション７が有望な新人を発見した際に、該当する合格者に直接連絡を取り合って交渉を行なうために、必要な該当者の連絡先を知るための、システム利用料とは別に追加料金支払う際の処理を行なう課金処理手段である。
【００４４】
次に、プロダクション端末８の構成について、図９を参照しながら説明する。プロダクション端末８は、キーボードやマウスなどで構成される入力手段７１と、液晶表示器やＣＲＴなどで構成される表示手段７２と、電気通信手段３を介して管理サーバ２との相互通信を行なうためのデータ送受信手段７３と、スピーカなどの音声出力手段１０６をそれぞれ備えている。ここでの表示手段７２は、オーディション合格者の検索画面を表示したり、オーディション合格者の一覧を表示する機能を有する。また、音声出力手段１０６は、特に合格者のオーディション情報に含まれる音声データを出力する機能を有する。なお、プロダクション端末８は、汎用のパーソナルコンピュータや携帯端末（ＰＤＡ）などを利用してよい。
【００４５】
ここで、図１０に示すオーディション合格基準データベース３５の構成と、図１１に示すオーディション合格者データベース３６，４４の構成について説明する。図１０に示すように、ファイルサーバ５に納められるオーディション合格基準データベース３５は、具体的には各ジャンル別にデータベースが構成され、それぞれ歌手としての合格基準を格納する歌手合格基準１０７と、俳優としての合格基準を格納する俳優合格基準１０８と、アナウンサーや声優としての合格基準を格納するアナウンサー・声優合格基準１０９と、モデルとしての合格基準を格納するモデル合格基準１１０と、ダンサーとしての合格基準を格納するダンサー合格基準１１１の各データベースに分類されている。
【００４６】
そして歌手合格基準１０７には、課題である楽曲を標準的に歌い上げた場合の音声データを周波数分析して、その音調および音程といったデータをポイント化したものが格納され、俳優合格基準１０８には、課題である映画やドラマのワンシーンのセリフについて、そのセリフの明瞭さや語尾の抑揚といった音声データを周波数分析してポイント化したものと、顔の表情や動作といった画像データをポイント化したものが格納され、アナウンサー・声優合格基準１０９には、課題の仮想ニュースの語句の明瞭さや読み上げるまでの時間や、セリフの抑揚（音程）や声質といったデータをポイント化したものが格納され、モデル合格基準１１０には、課題のファッションショーにおけるモデルのポーズについて、時間毎に捉えた画像データをポイント化したものが格納され、さらにダンサー合格基準１１１には、ダンスの際の動作やステップなどを画像で捉えたデータをポイント化したものが格納されている。
【００４７】
続いてオーディション合格者データベース３６，４４の構成について、図１１に基づき説明すると、これらのオーディション合格者データベース３６，４４には、いずれも合格者のオーディション情報が記憶保持される。具体的には、オーディションに合格した各課題のジャンル別にデータベースが細分化され、それぞれ歌手志望７４，俳優・女優志望７５，アナウンサー・声優志望７６，モデル志望７７，ダンサー志望７８の各データベースから構成される。そして、例えば歌手志望７４のデータベースには、端末６の入力手段１７より入力された名前，年齢，性別，志望ジャンル（例えば歌手志望であればポップスや演歌），連絡先などの個人情報と、オーディションの課題に対するしぐさを記録した画像データや音声データが格納されている。
【００４８】
次に、上記構成に基づいて、具体的なオーディションの動作手順の一例を、図１２のフローチャートに基づき、図１３〜図１６におけるモニタ９の表示内容を参照しながら詳細に説明する。
【００４９】
図１２のステップＳ１において、端末６が稼動状態にあるときに、第一のユーザであるオーディションを受けようとする者は、システム利用料を端末６の料金投入口１２から投入すると（ステップＳ２）、次のステップＳ３で端末６の入金検出手段２０は、投入された利用料の金額が正しく入金されたか否かの確認処理を行なう。ステップＳ４にて、必要な利用料が入金されたことが入金検出手段２０で確認されると、端末６のモニタ９には図１３に示すように、写真プリントシールを作成するか、オーディションを受けるかの選択画面表示部７９が表示される。一方、前記ステップＳ３およびＳ４において、利用料が正しく入金されない場合には、例えば「後○○○円を入れて下さい」などの利用料金を催促する文字がモニタ９に表示される。
【００５０】
利用料が正しく入金されると、次に第一のユーザーは、モニタ９に表示される選択画面表示部７９のメニュー画面に基づき、端末６の操作手段１１を操作しながら、写真プリントシール作成機能か、オーディション機能のいずれかを選択する。具体的には、前記選択画面表示部７９に、写真プリントシール作成機能の選択を促す第１の表示部８０と、オーディション機能の選択を促す第２の表示部８１が表示される。第一のユーザーは、操作手段１１の左右の矢印キーを操作して、選択したい機能に対応した表示部（例えば第２の表示部８１）を点灯表示させ、操作手段１１の別の決定キーを押して、その指示を確定する（ステップＳ５，Ｓ６）。
【００５１】
こうなるとステップＳ７に移行し、端末６の選択データ処理手段１８はオーディション機能を選択して、図１３に示すオーディションの課題選択を促す画面をモニタ９に表示させる。ここでの課題選択画面表示部８２には、オーディション課題データベース３４を構築する各データベース４８〜５２に対応して、歌手志望のジャンルの選択を促す第１の志望表示部８３と、俳優志望のジャンルの選択を促す第２の志望表示部８４と、アナウンサー・声優志望のジャンルの選択を促す第３の志望表示部８５と、モデル志望のジャンルの選択を促す第４の志望表示部８６と、ダンサー志望のジャンルの選択を促す第５の志望表示部８７が、例えば各ジャンルに合わせた図柄のアイコンと文字との組合わせで各々表示される。これにより第一のユーザーは、操作手段１１の上下の矢印キーを操作して、選択したいジャンルの志望表示部（例えば第１の志望表示部８３）を点灯表示させ、操作手段１１の別の決定キーを押して、その指示を確定する（ステップＳ８）。
【００５２】
確定した志望ジャンルは、端末６の選択データ処理手段１８からファイルサーバ５に転送される。ファイルサーバ５のオーディション課題処理手段３１は上記志望ジャンルの入力を受けて、オーディション課題データベース３４から該当するジャンルのオーディション課題を抽出し、これをデータ送受信手段３０から端末６のデータ送受信手段１９に送信する。例えば志望ジャンルが歌手である場合、オーディション課題処理手段３１は、適切な課題を与えるために音楽データベース４８に格納された課題内容を選択して、これを端末６に送り出す。なお、志望ジャンルが歌手の場合は、オーディションを受ける第一のユーザーの性別や、歌いたい曲などを予め操作入力手段１１や音声入力手段１６から入力できるようにして、より適切な課題が与えられるようにするのが好ましい。このオーディションの課題内容は、オーディション課題再生手段２１によって画像出力手段２２と音声出力手段２３から出力開始される（ステップＳ９）。
【００５３】
なおここでは、選択したジャンルによっては、歌詞カードやセリフカード，ナレーションカードなどが、端末６の選択データ処理手段１８およびオーディション課題再生手段２１によって端末６の出力口１０から出力される。いずれにせよオーディションの応募者は、与えられた課題を基に仮設ステージ１３上でオーディションを行なう。
【００５４】
ステップＳ１０に移行して課題の再生出力が行われると、この課題に合せた応募者のしぐさが、端末６の画像入力手段１５と音声入力手段１６から、それぞれ画像データと音声データとして取り込まれる。この一続きの画像データと音声データは、オーディション課題が終了するまでファイルサーバ５のデータ記憶手段３３に記録される（ステップＳ１１およびＳ１２）。
【００５５】
そしてオーディション課題が終了して、データ記憶手段３３への画像データおよび音声データの記録が完了すると、オーディション合否判定手段３２は、直ちにこれらの画像データおよび音声データをデータ記憶手段３３から読み出して、そのオーディション課題について合否の判定を行なう（ステップＳ１３）。
【００５６】
例えば志望ジャンルが歌手である場合、オーディション合否判定手段３２は先に端末６に与えた課題に対応する合格基準を、オーディション合格基準データベース３５を構成する歌手合格基準１０７のデータベースから読み出す。そして、この合格基準を基に、データ記憶手段３３から読み出されたしぐさの音声データについて、明瞭度や時間的なズレ、音調の乱れや音程の狂いが、いずれも一定の許容範囲内にあるか否かを判定すると共に、しぐさの画像データについても、動作の乱れやズレが一定の許容範囲内にあるか否かを判定する。
【００５７】
より具体的には、例えば画像データに関する合否判定であれば、例えばオーディション受験者の顔や体型や動作といったものを、身体の部分部分でポイント（点）化して捉えて、オーディション合格基準データベース３５上にある顔の目、鼻、口の配置や大きさのバランス、体型のなど身体バランス、また表情や仕草、ステップなどの動作の正確さや演技時間といった各ジャンル毎に定められた合格基準と照らし合わせて、そのズレが許容範囲内にあるか否かを判断する。
【００５８】
また音声データに関する合否判定であれば、例えばオーディション受験者の音声データを周波数分析してポイント化したデータにして、オーディション合格基準データベース３５上にある音程，音調，声質といった各ジャンル毎に定められた合格基準と照らし合わせて、そのズレが許容範囲内にあるか否かを判断する。この際には、既存のカラオケ装置における採点判定手段を利用してもよい。
【００５９】
ステップＳ１３におけるオーディション合否判定手段３２による合格判定が終了すると、オーディション受験者に対する合否の通知が行なわれる。例えばステップＳ１４において、オーディション合否判定手段３２が合格したと判定した場合は、端末６から送られたオーディション課題に対応するしぐさの画像データや音声データが、合格基準を満たしている旨の情報が、その端末６に対し送り出される。これを受けて端末６は、図１５に示すような合格を表わす合格画面表示部８８をモニタ９に表示する（ステップＳ１５）。この際、合格を示すファンファーレなどの特殊効果音を音声出力手段２３から出力すれば、オーディションに合格した第一のユーザの射幸心をより高めることができ好ましい。
【００６０】
逆に、ステップＳ１４において、オーディション合否判定手段３２が不合格であると判定した場合は、合格基準を満たしていない旨の情報が、その端末６に対し送り出される。これを受けて端末６は、図１６に示すような不合格を表わす不合格画面表示部８９がモニタ９に表示され（ステップＳ１８）、オーディションが終了する（ステップＳ１９）。この場合は、合格時とは別な例えば惨めな特殊効果音が端末６の音声出力手段２３から出力されるようにしておけば、不合格になった第一のユーザーの競争心を煽ることになりなお好ましい。
【００６１】
前記ステップＳ１４において合格基準に達した場合は、前記画面表示部８８をモニタ９に表示した後で、ステップＳ１６における個人情報の入力が行なわれる。すなわち、端末６の操作入力手段１１から合格者の名前，年齢，性別，連絡先，志望ジャンルなどが入力されると、ステップＳ１７の処理によって、ファイルサーバ５のオーディション合格者データベース３６および管理サーバ２のオーディション合格者データベース４４に、これらの個人情報が前記しぐさの画像データおよび音声データとともにオーディション情報として記録保持され、オーディションは終了となる（ステップＳ１９）。なお、合格および不合格のいずれにおいても、オーディション終了の段階でデータ記憶手段３３に記憶されたしぐさの画像データや音声データは消去される。これにより、データ記憶手段３３の必要容量を最小限にすることができる。
【００６２】
前記オーディション合否判定手段３２による合否判定は、上記ステップＳ１０において課題が終了する途中の時点で、あまりにも合格基準から外れおり、合格見込みがない場合にはその時点で不合格としても良い。このように課題を全て実施できず途中で終了してしまうことで、複数ユーザーでオーディション機能を利用したい場合などにさらなる競争心を煽ることができ、オーディションのおもしろみが増す効果も期待できる。
【００６３】
このように、本システムの第一のユーザは、端末６を設置してある遊戯施設４などへ出向いてシステム利用料を支払って志望するジャンルのオーディション課題を行うと、ファイルサーバ５のサーバ記憶手段３３へ記録されるしぐさの画像データと音声データが、オーディション合格基準データベース３５にある各合格基準と比較され、オーディションの合格基準に達していると判断された場合には、オーディション合格者として、しぐさの画像データおよび音声データや個人情報を含むオーディション情報がオーディション合格者データベース３６へ登録される。
【００６４】
続いて、プロダクション７が必要な人材を発掘するまでの手順を、図１７のフローチャートのフローチャートに基づき、図１８〜図２１におけるモニタ９の表示内容を参照しながら詳細に説明する。
【００６５】
先ず図１８のステップＳ２２おいて、プロダクション端末８のデータ送受信手段７３により電気通信手段３であるインターネットを介してウェブ上に展開する管理サーバ２のウェブサイトにアクセスする。これを受けて管理サーバ２のオーディション合格登録者閲覧手段４２は、図１８に示すような認証画面表示部９０を、プロダクション端末８の表示手段７２に初期画面として表示させる（ステップＳ２３）。
【００６６】
プロダクション７の閲覧者は、この認証画面９０を参照しながら、センター装置１から与えられた固有の認証番号およびパスワードを、プロダクション端末８の入力手段７１から入力する（ステップＳ２４）。認証番号を入力すると、その入力内容が図１８に示す認証番号表示部９１に表示され、またパスワードはパスワード表示部９２に表示される。なお、パスワード表示部９２は、第三者による不正利用を避けるために、図１８に示すような特殊文字が表示される。
【００６７】
認証番号とパスワードを認証情報として入力すると、管理サーバ２内にある認証データ照合処理手段４１は、ステップＳ２５およびステップＳ２６において、その入力した認証情報が、認証データベース４５内に記憶されている認証番号とパスワードとの登録認証情報に一致するか否かを判断する認証処理を行なう。もし照合する登録認証情報が見つかれば、次のステップＳ２７に移行して、合格者検索画面表示処理手段６６によって、図１９に示すような合格者検索画面表示部９３を、プロダクション端末８の表示手段７２に表示させる。逆に照合する登録認証情報が見つからず、正しく認証が行えない場合には、ステップＳ２３に戻され、図１８に示す認証画面表示部９０を再表示させて、認証番号とパスワードの再入力を促す。
【００６８】
図１９に示す合格者検索画面表示部９３は、管理サーバ２に登録されている合格者について、閲覧したい志望ジャンルの入力を促すものである。例えばこの図１９の例では、プロダクション端末８の表示手段７２に、「１．歌手志望者、２．俳優・女優志望者、３．アナウンサー・声優志望者、４．モデル志望者、５．ダンサー志望者」なる文字形態の、番号と志望ジャンルとを並設した閲覧ジャンル選択画面表示部９３が表示される。ここで、志望ジャンルに対応した入力手段７１の数字キー「１〜５（この数字はジャンルが増えると共に大きくなる）」を押すと、閲覧したい志望ジャンルの番号（例えば「１」）が番号表示部９４に表示される。この数字を確認しつつ、入力手段７１の「Ｙ」キーを押すと、このキーに対応して入力確認表示部９５に「Ｙ」なる文字形態が表示され、閲覧したい志望ジャンルが特定される（ステップＳ２８）。一方、閲覧する志望ジャンルを変えたい場合には、入力手段７１の「Ｎ」キーを押せば、入力確認表示部９５に「Ｎ」なる文字形態が表示されるとともに、ステップＳ２７の合格者検索画面表示部９３に戻り、再度閲覧を希望する志望ジャンルの選択が可能になる。
【００６９】
前記ステップＳ２８において、閲覧したい志望ジャンルを特定すると、合格登録者閲覧手段４２の志望ジャンル選択手段６７は、閲覧したい志望ジャンルを認識する。そしてステップＳ２９に移行して、オーディション情報抽出処理手段６８は、閲覧したい志望ジャンルにおける合格者のオーディション情報を、オーディション合格者データベース４４より抽出する。
【００７０】
そしてステップＳ３０の処理に移行し、図２０に示すような抽出結果が、オーディション表示処理手段６９により、プロダクション端末８の表示手段７１に表示される。この例では、図１９の合格者検索画面表示部９３で入力を行った「歌手志望」のジャンルについて、オーディション情報抽出処理手段６８で抽出された合格者のオーディション情報から、抽出結果表示部９６に個人情報の一部が一覧表として一覧表示部９７に表示される。なお、同一の志望ジャンルについて例えば７名以上の合格登録者がいた場合は、一覧表示部９７に表示しきれない合格者を別に表示させるために、プロダクション端末８の入力手段７１を構成する例えば「Ｆ８」のファンクションキーを利用し、このファンクションキーを押せば、６人目以降の合格者登録者が同様に一覧表示部９７に表示される。また別の例えば「Ｆ９」のファンクションキーを押せば、前頁に一覧表示部９７に戻るか、若しくはステップＳ２７の合格者検索画面表示部９３に戻り、さらに別の例えば「Ｆ１０」のファンクションキーを押せば、閲覧を終了することができるようになっている。なお、これらの操作案内については、次頁表示部９９，前頁表示部１００および終了表示部１０１にそれぞれ表示される。
【００７１】
続くステップＳ３１において、オーディション合格者の画像データや音声データ付きの詳細情報を入手したい場合には、入力手段７１の例えばマウスを利用して、抽出結果一覧表画面９６のクリック表示部９８にカーソルを合わせてクリック入力する。そうすると、図２１の個人データ画面表示部１０２に示すような合格者個人の詳細な情報が、オーディション表示処理手段６９により表示される。ここではオーディションを受けた際に記録された画像データが画像表示部１０３に写し出される他、音声データはプロダクション端末８の音声出力手段１０６から出力される。但し、連絡先表示部１０４に表示される合格者の連絡先は、プライバシー保護のために開示されないようになっている。（ステップＳ３２）。これにより、特定の志望ジャンルについて、合格者の特徴を画像データや音声データのしぐさから個々に入手することができる。
【００７２】
個人データ表示画面１０２には、連絡先の表示を要求するためのスカウト表示部１１２が設けられており、もし有望な新人が見つかり直接連絡を取り合って交渉を試みたい場合には、入力手段７１によりスカウト表示部１１２をクリックする（ステップＳ３３）と、管理サーバ２の課金処理手段７０によって課金処理が行われるとともに（ステップＳ３４）、ウェブサイトの利用料とは別に、有償で連絡先表示部１０４に連絡先を表示する（ステップＳ３５）。
【００７３】
なお、個人データ表示画面１０２を表示した状態で、プロダクション端末８の入力手段７１を構成する例えば「Ｆ７」のファンクションキーを押せば、前述の図２０の抽出結果表示部９６が表示され、また「Ｆ１０」のファンクションキーを押せば、個人データ表示画面１０２による閲覧を終了できる。なお、これらの操作案内については、戻り表示部１０５および終了表示部１０１にそれぞれ表示される。
【００７４】
このように、本システムに対し予め登録を行なったプロダクション７などの第二のユーザが、自身が保有するプロダクション端末８の入力手段７１から、データ送受信手段７３より電気通信手段３を介して閲覧したい志望ジャンルを指定すると、管理サーバ２の合格者閲覧手段４２は、指定した志望ジャンルにおけるオーディション合格者のオーディション情報を、オーディション合格者データベース４４から抽出してプロダクション端末８に送信する。これにより、第二のユーザはオーディション情報を閲覧できる。そして有望な新人が見つかり、スカウトを行いたい場合には、課金処理手段７０によって閲覧システム利用料とは別に追加料金を支払うことで、合格者の連絡先を知ることができ、直接交渉が可能となる。
【００７５】
以上のように本実施例では、複数の端末６が電気通信手段３を介してセンター装置１の管理サーバ２に接続され、オーディションの課題を提示する提示手段としての画像出力手段２２および音声出力手段２３と、このオーディションの課題に対応した利用者からの音声または画像を含むオーディション情報を入力する入力手段（操作入力手段１１，画像入力手段１５および音声入力手段１６）とを端末６に備えたオーディション情報登録閲覧システムにおいて、入力手段から取り込んだ利用者のオーディション情報が、オーディションの課題について予め設定した合格基準に達したか否かを判別し、その判別結果を端末６に出力させるとともに、合格基準に達している場合にのみ、その利用者のオーディション情報を管理サーバ２にて閲覧できるように記憶管理する判別手段としてのオーディション合否判定手段３２を備えている。
【００７６】
このようにすると、オーディションを受けようとする利用者が、オーディションの課題に対応した音声や画像を含むオーディション情報を端末６から入力すると、オーディション合否判定手段３２はそのオーディション情報が合格基準に達しているか否かを直ちに判別して、その判別結果を端末から利用者に伝達する。したがって、オーディションの適否がその場ですぐに判明するとともに、とりわけ複数の人数で端末６を利用する場合に、合格基準に達した者は射幸心が得られる一方で、合格基準に達しない者は、再度オーディションを受けたいとする競争心を得ることができ、端末６側での利用率が向上する。
【００７７】
さらにオーディション合否判定手段３２は、端末６から入力された全てのオーディション情報の中で、合格基準に達している場合にのみ、その利用者のオーディション情報を管理サーバ２に記憶管理させるので、管理サーバ２に登録されるオーディション情報は従来のものよりも飛躍的に少なくなる、よって、管理サーバ２の負担が少なくなるとともに、所望のオーディション情報を探すプロダクション７側にとっても条件の合ったオーディション情報を、管理サーバ２から容易に取得できるようになる。
【００７８】
また本実施例では、閲覧端末であるプロダクション端末８から電気通信手段３を介して送出された認証情報を照合し、正当な認証情報を受けたプロダクション端末８にのみ、オーディション情報を閲覧可能にする照合閲覧手段としての認証データ照合処理手段４１をさらに備えている。
【００７９】
この場合、管理サーバ２に登録されたオーディション情報は誰でも閲覧できるという訳ではなく、送られてきた認証情報が正しいものと判断したプロダクション端末８にのみ閲覧できるようになっている。したがって、オーディション情報に含まれる個人的な情報が、不特定多数の者に不正利用されることを防止できる。
【００８０】
また本実施例では、被写体に任意の背景を合成して視覚的効果を加え、プリントシールとして出力する画像合成プリント装置に、端末６を組み込んでいる。
【００８１】
この場合は、遊戯施設などに設置され、全国的に普及している画像合成プリント装置に着目して、この画像合成プリント装置に前記端末６としての機能を組み込む。こうすると、画像合成プリント装置における被写体の撮影手段（例えばビデオカメラ）を端末６の画像入力手段１５として利用でき、合成画像を出力する表示手段を端末６の提示手段（画像出力手段２２）として利用できるので、既存の画像合成プリント装置をオーディション受付用の端末６として、その利用価値を高めることができる。しかも、画像合成プリント装置であれば、誰もが気軽にオーディションが受けることができるので、隠れた逸材を容易に捜し出すことができる。
【００８２】
なお、画像合成プリント装置を利用した端末６の場合、オーディション応募時に自身の歌声が端末６の外部に漏れることを防止するために、仮設ステージを囲むようにして外部への音漏れを遮断する防音手段を設置するのが好ましい。また、防音手段を不透明部材で構成すれば、例えばオーディション中に歌ったり踊ったりしている姿を人に見られないようにすることができ、より気軽にオーディションを受けることができる。
【００８３】
また、音声入力手段，音声出力手段および画像出力手段を備えた既存のカラオケ装置に、端末６としての機能を組み込むこともできる。この場合、カラオケを利用しながらオーディションの応募を行なうことができる上に、本来カラオケ装置は人前で歌うためのものであるため、上述の防音手段などを必要としない利点がある。その他端末６は、不特定多数のものが集まるあらゆる施設に設置することができる。
【００８４】
また本実施例では、オーディションの課題を更新する課題更新手段としての課題・合格基準更新手段３８を前記センター装置に備えて構成される。
【００８５】
この場合、ファイルサーバ５のオーディション課題データベース３４へ格納されるオーディション課題を、センター装置１から自動的に適時更新することができるので、オーディション課題を変えることで様々なジャンルのオーディション希望者を募ることができる。
【００８６】
なお本発明は上記実施例に限定されるものではなく、本発明の要旨の範囲内で適宜変更が可能である。添付図面に示すシステムの構成や処理手順や各表示画面はあくまでも一例であり、様々な変化が可能なものである。例えば、端末６にファイルサーバ５の機能を設ければ、わざわざファイルサーバサーバを独立して設ける必要はない。またジャンルやオーディションの課題や合格基準については、プロダクション７からの希望を取り入れてデータを作成するようにしてよい。
【００８７】
さらに、本発明におけるオーディション情報登録閲覧システムは、人材のみならず物品の登録と閲覧を可能にするあらゆるシステムに適用できる。例えば、第一のユーザーを求職者とし、第二のユーザーを求人者として、求人者が必要とするオーディションの課題を、端末側の求職者に与えてもよい。また端末から特定の物品の画像データを取り込み、その画像データに基づく物品の状態が、オーディションの課題に対する合格基準を満たしている場合にのみ、その物品を含むオーディション情報を管理サーバに記憶管理させてもよく、この場合はいわば物品のオークションとしての機能を持たせることができる。
【００８８】
【発明の効果】
請求項１の発明によれば、管理サーバの負担を少なくして、条件の合ったオーディション情報を容易に取得できるようにするとともに、オーディションの適否をその場で分るようにして、端末側での利用率を高めるようにしたオーディション情報登録閲覧システムを提供できる。
【００８９】
請求項２の発明によれば、オーディション情報に含まれる個人的な情報が、不特定多数の者に流出するのを防止できる。
【００９０】
請求項３の発明によれば、既存の画像合成プリント装置の利用価値を高めることができ、誰もが気軽にオーディションが受けることができる。
【００９１】
請求項４の発明によれば、様々なジャンルのオーディション希望者を募ることができる。
【図面の簡単な説明】
【図１】本発明の一実施例におけるオーディション情報登録閲覧システムの全体構成を示す概略説明図である。
【図２】同上、端末の外観を示す斜視図である。
【図３】同上、端末の機能構成を示すブロック図である。
【図４】同上、ファイルサーバの機能構成を示すブロック図である。
【図５】同上、管理サーバの機能構成を示すブロック図である。
【図６】同上、オーディション機能における端末およびその周辺の機能構成を示すブロック図である。
【図７】同上、オーディション機能におけるファイルサーバおよびその周辺の機能構成を示すブロック図である。
【図８】同上、オーディション機能における管理サーバおよびその周辺の機能構成を示すブロック図である。
【図９】同上、プロダクション端末およびその周辺の機能構成を示すブロック図である。
【図１０】同上、オーディション合格基準データベースの内部構成を示す概略説明図である。
【図１１】同上、オーディション合格者データベースの構成を示す概略説明図である。
【図１２】同上、オーディションに関する動作手順を示すフローチャートである。
【図１３】同上、機能選択入力画面の一例を示す端末モニタの正面図である。
【図１４】同上、志望ジャンル選択入力画面の一例を示す端末モニタの正面図である。
【図１５】同上、オーディション合格画面の一例を示す端末モニタの正面図である。
【図１６】同上、オーディション不合格画面の一例を示す端末モニタの正面図である。
【図１７】同上、オーディション合格登録者閲覧手段の動作手順を示すフローチャートである。
【図１８】同上、認証入力画面の一例を示すプロダクション端末の表示手段の正面図である。
【図１９】同上、閲覧希望ジャンル選択入力画面の一例を示すプロダクション端末の表示手段の正面図である。
【図２０】同上、オーディション合格登録者一覧表画面の一例を示すプロダクション端末の表示手段の正面図である。
【図２１】同上、オーディション合格登録者の個人情報画面の一例を示すプロダクション端末の表示手段の正面図である。
【符号の説明】
１  センター装置
２  管理サーバ
３  電気通信手段
６  端末
８  プロダクション端末（閲覧端末）
１１  操作入力手段（入力手段）
１５  画像入力手段（入力手段）
１６  音声入力手段（入力手段）
２２  画像出力手段（提示手段）
２３  音声出力手段（提示手段）
３２  オーディション合否判定手段（判別手段）
３８  課題・合格基準更新手段（課題更新手段）
４１  認証データ照合処理手段（照合閲覧手段）
４２  オーディション合格登録者閲覧手段
【図１】
2004178003.tif 000003
【図２】
2004178003.tif 000004
【図３】
2004178003.tif 000005
【図４】
2004178003.tif 000006
【図５】
2004178003.tif 000007
【図６】
2004178003.tif 000008
【図７】
2004178003.tif 000009
【図８】
2004178003.tif 000010
【図９】
2004178003.tif 000011
【図１０】
2004178003.tif 000012
【図１１】
2004178003.tif 000013
【図１２】
2004178003.tif 000014
【図１３】
2004178003.tif 000015
【図１４】
2004178003.tif 000016
【図１５】
2004178003.tif 000017
【図１６】
2004178003.tif 000018
【図１７】
2004178003.tif 000019
【図１８】
2004178003.tif 000020
【図１９】
2004178003.tif 000021
【図２０】
2004178003.tif 000022
【図２１】
2004178003.tif 000023